(57)【要約】      （修正有）【課題】ユーザの利用条件を満たすサービスを利用可能な会員基盤システムを示す情報を提供する。【解決手段】情報処理装置４は、サービスを示す情報と会員基盤情報とユーザ識別情報とを取得するサービス情報取得部４３１と、サービス情報取得部４３１が取得した会員基盤情報とユーザ識別情報とに基づいて、特定対象である複数の会員基盤システムの中から、ユーザが登録されている他の会員基盤システムを特定し、かつ、ユーザがサービスを利用可能な会員基盤システムを特定する特定部４３２と、サービス情報取得部４３１が取得した会員基盤情報が示す会員基盤システムと特定部４３２が特定した会員基盤システムとを含む複数の会員基盤システムのうち、ユーザが指定した利用条件を満たす会員基盤システムを示す情報を、ユーザが使用する通信端末に通知する通知部４３６と、を有する。【選択図】図４
2020091726.tif 000002
【特許請求の範囲】
【請求項１】
会員基盤システムを介してユーザが利用するサービスを示す情報と、前記会員基盤システムを識別するための会員基盤情報と、前記ユーザを識別するための情報として前記会員基盤システムに登録されているユーザ識別情報とを取得するサービス情報取得部と、
前記サービス情報取得部が取得した前記会員基盤情報と前記ユーザ識別情報とに基づいて、特定対象である複数の会員基盤システムの中から、前記ユーザが登録されている、前記会員基盤システムとは異なる他の会員基盤システムを特定し、かつ前記ユーザが前記サービスを利用可能な会員基盤システムを特定する特定部と、
前記サービス情報取得部が取得した前記会員基盤情報が示す前記会員基盤システムと前記特定部が特定した前記会員基盤システムとを含む複数の会員基盤システムのうち、前記ユーザが指定した利用条件を満たす会員基盤システムを示す情報を、前記ユーザが使用する通信端末に通知する通知部と、
を有する通知装置。
【請求項２】
前記サービス情報取得部は、前記利用条件を示す情報をさらに取得し、
前記通知部は、前記複数の会員基盤システムのうち、前記サービス情報取得部が取得した前記利用条件を満たす前記会員基盤システムを示す情報を前記通信端末に通知する、
請求項１に記載の通知装置。
【請求項３】
前記サービス情報取得部は、前記通信端末がアクセスした前記会員基盤システムから、前記サービスを示す情報と、前記会員基盤システムに対応する前記会員基盤情報と、前記会員基盤システムに登録されている前記ユーザに対応する前記ユーザ識別情報とを取得する、
請求項１又は２に記載の通知装置。
【請求項４】
前記通知部は、前記利用条件を満たす前記複数の会員基盤システムそれぞれにおいて利用可能な前記サービスの内容を前記通信端末に通知する、
請求項１から３のいずれか一項に記載の通知装置。
【請求項５】
前記利用条件を満たす会員基盤システムを介して利用可能なサービスの利用場所を表示したマップを生成するマップ生成部をさらに有し、
前記通知部は、前記マップ生成部が生成した前記マップを、前記利用条件を満たす会員基盤システムを示す情報として前記通信端末に通知する、
請求項１から４のいずれか一項に記載の通知装置。
【請求項６】
前記マップ生成部は、前記サービスの利用場所を、前記会員基盤システムごとに異なる態様で表示した前記マップを生成する、
請求項５に記載の通知装置。
【請求項７】
前記利用条件を満たす会員基盤システムからユーザが選択した一の会員基盤システムを示す情報を取得する選択情報取得部をさらに有し、
前記通知部は、前記ユーザが選択した前記一の会員基盤システムを介して前記サービスの予約を受け付ける予約ページにアクセスするためのアドレス情報を前記通信端末に通知する、
請求項１から６のいずれか一項に記載の通知装置。
【請求項８】
前記特定部は、前記ユーザが登録されていない会員基盤システムを含む前記他の会員基盤システムを特定し、
前記通知部は、サービスを利用できない会員基盤システムをさらに含む前記複数の会員基盤システムのうち、前記ユーザが指定した利用条件を満たす会員基盤システムを示す情報を前記通信端末に通知する、
請求項１から７のいずれか一項に記載の通知装置。
【請求項９】
コンピュータが実行する、
会員基盤システムを介してユーザが利用するサービスを示す情報と、前記会員基盤システムを識別するための会員基盤情報と、前記ユーザを識別するための情報として前記会員基盤システムに登録されているユーザ識別情報とを取得するステップと、
取得した前記会員基盤情報と前記ユーザ識別情報とに基づいて、特定対象である複数の会員基盤システムの中から、前記ユーザが登録されている、前記会員基盤システムとは異なる他の会員基盤システムを特定し、かつ前記ユーザが前記サービスを利用可能な会員基盤システムを特定するステップと、
取得した前記会員基盤情報が示す前記会員基盤システムと特定した前記会員基盤システムとを含む複数の会員基盤システムのうち、前記ユーザが指定した利用条件を満たす会員基盤システムを示す情報を、前記ユーザが使用する通信端末に通知するステップと、
を有する通知方法。
【発明の詳細な説明】
【技術分野】
【０００１】
本発明は、ユーザが利用可能なサービスに関する情報を通知する通知装置及び通知方法に関する。
【背景技術】
【０００２】
従来、会員登録したことを条件として、会員にサービスを利用させるシステムが知られている。特許文献１には、会員に会員サービスを提供する会員サービスシステム（以下、会員基盤システムという）において、当該会員基盤システムを提供する事業者と加盟契約しているサービス事業者が提供するサービスを利用させる技術が記載されている。
【先行技術文献】
【特許文献】
【０００３】
【特許文献１】特開２００４−７０５９７号公報
【発明の概要】
【発明が解決しようとする課題】
【０００４】
会員基盤システムの会員であるユーザは、会員基盤システムを介して、サービス事業者が提供するサービスを利用することができる。ところで、会員基盤システムごとに利用可能なサービスの内容が異なる場合がある。この場合において、会員基盤システムを介して利用可能なサービスが、ユーザの利用条件を満たさない場合、ユーザは、自身の利用条件を満たすサービスを利用可能な他の会員基盤システムを探さなければならず手間であった。
【０００５】
そこで、本発明はこれらの点に鑑みてなされたものであり、ユーザの利用条件を満たすサービスを利用可能な会員基盤システムを示す情報を提供することができる通知装置及び通知方法を提供することを目的とする。
【課題を解決するための手段】
【０００６】
本発明の第１の態様に係る通知装置は、会員基盤システムを介してユーザが利用するサービスを示す情報と、前記会員基盤システムを識別するための会員基盤情報と、前記ユーザを識別するための情報として前記会員基盤システムに登録されているユーザ識別情報とを取得するサービス情報取得部と、前記サービス情報取得部が取得した前記会員基盤情報と前記ユーザ識別情報とに基づいて、特定対象である複数の会員基盤システムの中から、前記ユーザが登録されている、前記会員基盤システムとは異なる他の会員基盤システムを特定し、かつ前記ユーザが前記サービスを利用可能な会員基盤システムを特定する特定部と、前記サービス情報取得部が取得した前記会員基盤情報が示す前記会員基盤システムと前記特定部が特定した前記会員基盤システムとを含む複数の会員基盤システムのうち、前記ユーザが指定した利用条件を満たす会員基盤システムを示す情報を、前記ユーザが使用する通信端末に通知する通知部と、を有する。
【０００７】
前記サービス情報取得部は、前記利用条件を示す情報をさらに取得してもよいし、前記通知部は、前記複数の会員基盤システムのうち、前記サービス情報取得部が取得した前記利用条件を満たす前記会員基盤システムを示す情報を前記通信端末に通知してもよい。
【０００８】
前記サービス情報取得部は、前記通信端末がアクセスした前記会員基盤システムから、前記サービスを示す情報と、前記会員基盤システムに対応する前記会員基盤情報と、前記会員基盤システムに登録されている前記ユーザに対応する前記ユーザ識別情報とを取得してもよい。
前記通知部は、前記利用条件を満たす前記複数の会員基盤システムそれぞれにおいて利用可能な前記サービスの内容を前記通信端末に通知してもよい。
【０００９】
前記通知装置は、前記利用条件を満たす会員基盤システムを介して利用可能なサービスの利用場所を表示したマップを生成するマップ生成部をさらに有してもよいし、前記通知部は、前記マップ生成部が生成した前記マップを、前記利用条件を満たす会員基盤システムを示す情報として前記通信端末に通知してもよい。
前記マップ生成部は、前記サービスの利用場所を、前記会員基盤システムごとに異なる態様で表示した前記マップを生成してもよい。
【００１０】
前記通知装置は、前記利用条件を満たす会員基盤システムからユーザが選択した一の会員基盤システムを示す情報を取得する選択情報取得部をさらに有してもよいし、前記通知部は、前記ユーザが選択した前記一の会員基盤システムを介して前記サービスの予約を受け付ける予約ページにアクセスするためのアドレス情報を前記通信端末に通知してもよい。
【００１１】
前記特定部は、前記ユーザが登録されていない会員基盤システムを含む前記他の会員基盤システムを特定してもよい、前記通知部は、サービスを利用できない会員基盤システムをさらに含む前記複数の会員基盤システムのうち、前記ユーザが指定した利用条件を満たす会員基盤システムを示す情報を前記通信端末に通知してもよい。
【００１２】
本発明の第２の態様に係る通知方法は、コンピュータが実行する、会員基盤システムを介してユーザが利用するサービスを示す情報と、前記会員基盤システムを識別するための会員基盤情報と、前記ユーザを識別するための情報として前記会員基盤システムに登録されているユーザ識別情報とを取得するステップと、取得した前記会員基盤情報と前記ユーザ識別情報とに基づいて、特定対象である複数の会員基盤システムの中から、前記ユーザが登録されている、前記会員基盤システムとは異なる他の会員基盤システムを特定し、かつ前記ユーザが前記サービスを利用可能な会員基盤システムを特定するステップと、取得した前記会員基盤情報が示す前記会員基盤システムと特定した前記会員基盤システムとを含む複数の会員基盤システムのうち、前記ユーザが指定した利用条件を満たす会員基盤システムを示す情報を、前記ユーザが使用する通信端末に通知するステップと、を有する。
【発明の効果】
【００１３】
本発明によれば、ユーザの利用条件を満たすサービスを利用可能な会員基盤システムを示す情報を提供することができるという効果を奏する。
【図面の簡単な説明】
【００１４】
【図１】本実施の形態において前提となる情報処理システムの構成を示す図である。
【図２】本実施の形態における情報処理システムの概要を説明するための図である。
【図３】本実施の形態における情報処理システムの概要を説明するための図である。
【図４】情報処理装置の構成を示す図である。
【図５】ユーザ管理データベースの構成を示す図である。
【図６】システム管理データベースの構成を示す図である。
【図７】通信端末に表示される表示画面の一例を示す図である。
【図８】通信端末に表示される表示画面の一例を示す図である。
【図９】通信端末に表示される表示画面の一例を示す図である。
【図１０】本実施の形態における情報処理システムの処理の流れを示すシーケンス図である。
【発明を実施するための形態】
【００１５】
［本実施の形態において前提となる情報処理システムＳの構成］
まず、本実施の形態において前提となる情報処理システムＳの構成について説明する。図１は、本実施の形態において前提となる情報処理システムＳの構成を示す図である。情報処理システムＳは、通信端末１と、サービス提供サーバ２と、会員基盤システム３と、情報処理装置４とを有する。
【００１６】
情報処理システムＳは、情報処理サービスを提供するシステムである。情報処理サービスは、サービス提供サーバ２及び会員基盤システム３の間において連携される情報を処理するサービスである。通信端末１は、ユーザが使用する端末であり、例えばスマートフォン、タブレット等である。
【００１７】
サービス提供サーバ２は、ユーザにサービスを提供するサービス事業者が管理するサーバである。サービス事業者が提供するサービスは、例えば、ロッカーの予約を受け付けるサービス（以下、ロッカーサービスという）、宿泊の予約を受け付けるサービス（以下、宿泊サービスという）、又は電子書籍を販売するサービス等であるが、これらに限定されるものではない。サービス提供サーバ２は、ユーザにサービスを提供するためのサービス提供サイトを管理する。ユーザは、サービス提供サイトにおいてロッカーを予約したり、電子書籍を購入したりすることができる。
【００１８】
会員基盤システム３は、システム事業者が管理するシステムであり、システム事業者と提携又は契約したサービス事業者が提供するサービスを、登録したユーザに利用させるためのシステムである。例えば、システム事業者が鉄道輸送サービスを運営する企業である場合、システム事業者は、会員基盤システム３を介して、提携した他社（サービス事業者）が提供する宿泊サービスを、当該会員基盤システム３に登録されたユーザに利用させる。
【００１９】
システム事業者は、登録されたユーザに会員基盤システム３を介してサービス提供者が提供するサービスを利用させる際に、当該ユーザが会員基盤システム３を介さずにサービス提供者が提供するサービスを利用する場合よりも優遇して当該サービスを利用させる。システム事業者は、例えば、サービス提供者が提供するサービスの価格よりも安い優待価格でサービスを利用させたり、サービス事業者が所定の条件を満たすユーザ（例えばＶＩＰ会員）に限定して提供するサービスを、会員基盤システム３に登録されたユーザに無条件で利用させたりする。また、システム事業者は、例えば、会員基盤システム３においてサービス提供者が提供するサービスを利用させる際に特典（例えば、ユーザが利用するサービスに適用できるクーポン、又は蓄積したり、ユーザが利用するサービスに適用したりすることができるポイント等）を提供してもよい。また、システム事業者は、例えば、自社が提供する決済サービス（例えばクレジットカード）を用いてサービス提供者が提供するサービスを利用させてもよい。
【００２０】
システム事業者は、情報処理サービスに加入している。会員基盤システム３は、ユーザにサービスを利用させるための会員基盤サイトを管理する。ユーザは、会員基盤サイトにおいて会員登録することにより、当該会員基盤サイトを管理する会員基盤システム３に当該ユーザに関する情報が登録される。会員基盤システム３に登録されたユーザは、会員基盤サイトを介して、サービス提供サイトが提供するサービスを受けることができる。
【００２１】
情報処理装置４は、情報処理サービスを提供する装置であり、例えばサーバである。情報処理装置４は、情報処理サービスによって得られた情報を、会員基盤システム３に登録されているユーザ、サービス事業者又はシステム事業者に提供する。情報処理装置４は、情報処理サービスによって得られた情報を提供するための情報提供サイトを管理する。
【００２２】
［本実施の形態における情報処理システムＳ１の概要］
続いて、本実施の形態における情報処理システムＳ１の概要について説明する。図２及び図３は、本実施の形態における情報処理システムＳ１の概要を説明するための図である。図２に示すように、情報処理システムＳ１は、複数のサービス提供サーバ２（２ｘ、２ｙ、２ｚ）と、複数の会員基盤システム３（３ａ、３ｂ、３ｃ、３ｚ）とを有する。
【００２３】
ユーザが利用可能なサービスは、会員基盤システム３ごとに異なる。また、複数のシステム事業者が同じサービス事業者と提携している場合であっても、システム事業者（会員基盤システム３）ごとにサービスの内容（例えば、利用料金又は利用可能な場所等のシステム事業者が優遇する内容）が異なる。本実施の形態における情報処理システムＳ１は、このように、ユーザが利用可能なサービスが異なったり、ユーザが利用可能なサービスの内容が異なったりする会員基盤システム３の中から、ユーザが指定した利用条件を満たすサービスを利用可能な会員基盤システム３を示す情報をユーザに通知する。
【００２４】
本実施の形態における情報処理装置４は、ユーザが指定した利用条件を満たすサービスを利用可能な会員基盤システム３を示す情報をユーザに通知する通知装置として機能する。情報処理装置４には、図２における利用可能サービス一覧を示す情報が記憶されている。
【００２５】
以下において、会員基盤システム３ａ、３ｂ、３ｃ、３ｚを管理するシステム事業者は、それぞれＡ社、Ｂ社、Ｃ社、Ｚ社であるとし、Ａ社、Ｂ社、Ｃ社、Ｚ社が運営する会員基盤サイトは、それぞれＡ会員基盤サイト、Ｂ会員基盤サイト、Ｃ会員基盤サイト、Ｚ会員基盤サイトであるとして説明する。また、サービス提供サーバ２ｘ、２ｙ、２ｚを管理するサービス事業者は、それぞれＸ社、Ｙ社、Ｚ社であるとし、Ｘ社、Ｙ社、Ｚ社が運営するサービス提供サイトは、それぞれＸサービス提供サイト、Ｙサービス提供サイト、Ｚサービス提供サイトであるとして説明する。Ｘ社、Ｙ社、Ｚ社は、同じ種類のサービス（例えばロッカーサービス）を提供しているとする。なお、Ｚ会員基盤サイトを運営するＺ社と、Ｚサービス提供サイトを運営するＺ社とは、同一の事業者である。
【００２６】
図２の利用可能サービス一覧は、システム事業者ごとに、各サービス事業者との提携の有無を示している。例えば、図２の利用可能サービス一覧に示す例において、Ａ社は、Ｘ社及びＺ社と提携している。そのため、Ａ社が管理する会員基盤システム３ａに登録されているユーザは、会員基盤システム３ａにおいてＸ社及びＺ社それぞれが提供するサービスを利用することができる。一方、Ａ社は、Ｙ社と提携していない。そのため、会員基盤システム３ａに登録されているユーザは、会員基盤システム３ａにおいてＹ社が提供するサービスを利用することができない。
【００２７】
図３に示すユーザＵは、会員基盤システム３ａ、３ｃ、３ｚに登録されており、会員基盤システム３ｂに登録されていないとする。ユーザＵは、通信端末１を用いて会員基盤サイト、サービス提供サイト及び情報提供サイトのうちのいずれかにアクセスすることにより、サービスを利用することができる。
【００２８】
この場合において、ユーザＵは、例えば、通信端末１を用いてＡ会員基盤サイトにアクセスし、Ａ会員基盤サイトにおいて利用可能なサービスを選択する（図３の（１））。Ａ会員基盤サイトを管理する会員基盤システム３ａは、ユーザＵが選択したサービスを示すサービス情報と、会員基盤システム３ａを識別するための会員基盤情報と、ユーザＵを識別するための情報として会員基盤システム３ａに登録されているユーザ識別情報とを情報処理装置４に送信する（図３の（２））。
【００２９】
情報処理装置４は、会員基盤システム３ａから取得した会員基盤情報とユーザ識別情報とに基づいて、ユーザＵが登録されている会員基盤システム３であって、会員基盤システム３ａとは異なる他の会員基盤システム３を特定し、かつユーザＵが、会員基盤システム３ａから取得したサービス情報が示すサービスを利用可能な会員基盤システム３を特定する（図３の（３））。
【００３０】
例えば、情報処理装置４は、まず、会員基盤システム３ａから取得した会員基盤情報とユーザ識別情報とに基づいて、ユーザＵが登録されている他の会員基盤システム３として、会員基盤システム３ｃ、３ｚを特定する。そして、情報処理装置４は、図２の利用可能サービス一覧に示す情報に基づいて、会員基盤システム３ｃ、３ｚのうち、ユーザＵが選択したサービスを利用可能な会員基盤システム３として、会員基盤システム３ｚを特定する。
【００３１】
情報処理装置４は、取得した会員基盤情報が示す会員基盤システム３ａ及び特定した会員基盤システム３ｚのうち、ユーザＵが指定した利用条件を満たす会員基盤システム３を特定する（図３の（４））。利用条件は、情報処理装置４に予め設定されていてもよいし、Ａ会員基盤サイトにおいてユーザＵがサービスを選択するとともに入力してもよい。情報処理装置４は、例えば、ユーザＵが指定した利用条件を満たす会員基盤システム３として、会員基盤システム３ｚを特定する。
【００３２】
情報処理装置４は、ユーザＵが指定した利用条件を満たす会員基盤システム３である会員基盤システム３ｚを示す情報を、ユーザＵが使用する通信端末１に通知する（図３の（５））。情報処理装置４は、例えば、会員基盤システム３ｚを示す情報を表示した情報提供サイトの画面を通信端末１に表示させる。そして、ユーザＵは、情報処理装置４が通知した会員基盤システム３ｚを示す情報が通信端末１に表示されると、会員基盤システム３ｚを介してＺサービス提供サイトにアクセスし、Ｚサービス提供サイトにおいてサービスを利用するための手続きを行う（図３の（６））。
【００３３】
情報処理装置４は、会員基盤システム３を介さずに、サービス提供サイトにおいてサービスを利用させてもよい。この場合、情報処理装置４は、情報処理サービスに加入したシステム事業者が管理するユーザに関する情報（基盤用ユーザＩＤ）を記憶しているとする。また、サービス提供サーバ２は、サービス提供サイトにおいて、サービス提供者と提携しているシステム事業者が管理するユーザに関する情報（基盤用ユーザＩＤ）を用いてログインすることにより、当該システム事業者が優遇する内容にてサービスを提供しているとする。
【００３４】
この場合において、情報処理装置４は、ユーザＵが指定した利用条件を満たす会員基盤システム３を示す情報と、当該会員基盤システム３を介して利用可能なサービスを提供するサービス提供サーバ２を示す情報とを通信端末１に通知する。情報処理装置４は、例えば、ユーザＵが指定した利用条件を満たす会員基盤システム３が管理する会員基盤サイトと、当該会員基盤サイトを介してサービスを受けることができるサービス提供サイトとが選択可能な情報提供サイトの画面を通信端末１に表示させる。
【００３５】
ユーザＵが、通信端末１に表示された情報提供サイトにおいて会員基盤サイトとサービス提供サイトとを選択する操作を行うと、情報処理装置４は、選択されたサービス提供サイトのログイン画面を、選択された会員基盤サイトに対応するユーザの基盤用ユーザＩＤが入力された状態で通信端末１に表示させる。そして、ユーザＵは、表示されたサービス提供サイトのログイン画面において、情報処理装置４が入力した基盤用ユーザＩＤに対応するパスワードを入力してログインし、当該サービス提供サイトにおいてサービスを利用するための手続きを行う。
【００３６】
このようにすることで、情報処理システムＳ１は、ユーザＵの利用条件を満たすサービスを利用可能な会員基盤システム３を示す情報をユーザＵに提供することができる。これにより、ユーザＵは、自身の利用条件を満たすサービスを利用可能な会員基盤システム３を探す手間を省くことができる。
以下、情報処理装置４の構成について説明する。
【００３７】
［情報処理装置４の構成］
図４は、情報処理装置４の構成を示す図である。情報処理装置４は、通信部４１と、記憶部４２と、制御部４３とを有する。
通信部４１は、ネットワークに接続するためのインターフェイスであり、例えば通信コントローラを含んで構成されている。
【００３８】
記憶部４２は、ＲＯＭ（Read Only Memory）、ＲＡＭ（Random Access Memory）及びハードディスク等の記憶媒体である。記憶部４２は、制御部４３が実行するプログラムを記憶している。また、記憶部４２は、ユーザＵを管理するユーザ管理データベースと、情報処理サービスに加入した会員基盤システム３に関する情報を管理するシステム管理データベースとを記憶している。
【００３９】
図５は、ユーザ管理データベースの構成を示す図である。図５に示すように、ユーザ管理データベースは、管理用ユーザＩＤと、会員基盤システム３（システム事業者）ごとに、会員基盤ＩＤと、基盤用ユーザＩＤとを関連付けて記憶している。管理用ユーザＩＤは、ユーザＵを識別するための情報として情報処理装置４が管理するユーザ識別情報である。会員基盤ＩＤは、会員基盤システム３を識別するための情報である。基盤用ユーザＩＤは、ユーザＵを識別するための情報として会員基盤システム３が管理するユーザ識別情報である。
【００４０】
ユーザ管理データベースの基盤用ユーザＩＤ項目に基盤用ユーザＩＤが記憶されている場合、ユーザＵが、当該基盤用ユーザＩＤ項目に関連付けられている会員基盤ＩＤが示す会員基盤システム３に登録されていることを示す。一方、ユーザ管理データベースの基盤用ユーザＩＤ項目が空白である場合、ユーザＵが、当該基盤用ユーザＩＤ項目に関連付けられている会員基盤ＩＤが示す会員基盤システム３に登録されていないことを示す。
【００４１】
図６は、システム管理データベースの構成を示す図である。図６に示すように、システム管理データベースは、会員基盤システム３に関する情報として、システム事業者名と、会員基盤ＩＤと、利用可能サービスとを関連付けて記憶している。システム事業者名は、会員基盤システム３を管理するシステム事業者の名称である。利用可能サービスは、サービスの種類ごとに、各会員基盤システム３に登録されているユーザＵが、当該種類のサービスを提供するサービス事業者が提供するサービスを利用可能であるか否かを示す。
【００４２】
図４に戻り、制御部４３は、例えばＣＰＵ（Central Processing Unit）である。制御部４３は、記憶部４２に記憶されたプログラムを実行することにより、サービス情報取得部４３１、特定部４３２、生成部４３５、通知部４３６及び選択情報取得部４３７として機能する。
【００４３】
サービス情報取得部４３１は、会員基盤システム３を介してユーザＵが利用するサービスを示すサービス情報と、会員基盤ＩＤと、基盤用ユーザＩＤとを取得する。サービス情報取得部４３１は、会員基盤システム３からサービス情報と会員基盤ＩＤと基盤用ユーザＩＤとを取得する。
【００４４】
例えば、ユーザＵが、通信端末１を用いて、会員登録している会員基盤サイトにアクセスし、当該会員基盤サイトにおいて利用するサービスを選択したとする。この場合に、サービス情報取得部４３１は、通信端末１がアクセスした会員基盤サイトを管理する会員基盤システム３から、ユーザＵが選択したサービスを示すサービス情報と、会員基盤ＩＤと、基盤用ユーザＩＤとを取得する。
【００４５】
また、例えば、ユーザＵが、通信端末１を用いてサービス提供サイトにアクセスし、当該サービス提供サイトにおいてサービスを利用するための操作を行ったとする。この場合、サービス提供サイトを管理するサービス提供サーバ２は、サービス事業者が提携しているシステム事業者が管理する会員基盤サイトにアクセスするためのアドレス情報を通信端末１に通知する。ユーザＵが、通信端末１を用いて、通知されたアドレス情報が示す会員基盤サイトにアクセスし、当該会員基盤サイトにおいて利用するサービスを選択すると、サービス情報取得部４３１は、会員基盤システム３からサービス情報と会員基盤ＩＤと基盤用ユーザＩＤとを取得する。
【００４６】
また、サービス情報取得部４３１は、通信端末１からサービス情報と会員基盤ＩＤと基盤用ユーザＩＤとを取得してもよい。例えば、ユーザＵが、通信端末１を用いて情報提供サイトにアクセスし、当該情報提供サイトにおいて、利用するサービスを選択し、会員登録している会員基盤サイトと、当該会員基盤サイトに対応する基盤用ユーザＩＤとを入力したとする。この場合に、サービス情報取得部４３１は、通信端末１からサービス情報と会員基盤ＩＤと基盤用ユーザＩＤとを取得する。
【００４７】
サービス情報取得部４３１は、ユーザＵが指定した利用条件を示す条件情報をさらに取得してもよい。利用条件は、例えば、利用場所、利用期間、利用料金、利用可能な数量（例えば、サービス事業者が提供するロッカーの数又は宿泊先の数等）の多さ又はサービスに対する評価の高さ等である。また、ユーザＵが複数の利用条件を指定した場合、サービス情報取得部４３１は、ユーザＵが指定した複数の利用条件のうち、優先させる利用条件を示す優先情報をさらに取得してもよい。
【００４８】
特定部４３２は、サービス情報取得部４３１が取得したサービス情報と会員基盤ＩＤと基盤用ユーザＩＤとに基づいて、ユーザＵが指定した利用条件を満たす会員基盤システム３を特定する特定処理を行う。特定部４３２は、第１特定部４３３と、第２特定部４３４とを有する。
【００４９】
第１特定部４３３は、サービス情報取得部４３１が取得した会員基盤ＩＤと基盤用ユーザＩＤとに基づいて、特定対象である複数の会員基盤システム３の中から、ユーザＵが登録されている、サービス情報取得部４３１が取得した会員基盤ＩＤが示す会員基盤システム３とは異なる他の会員基盤システム３を特定し、かつユーザＵがサービスを利用可能な会員基盤システム３を特定する。
【００５０】
具体的には、第１特定部４３３は、まず、サービス情報取得部４３１が取得した会員基盤ＩＤと基盤用ユーザＩＤとに基づいて、ユーザＵを特定する。第１特定部４３３は、例えば、サービス情報取得部４３１が取得した会員基盤ＩＤと基盤用ユーザＩＤとに関連付けてユーザ管理データベースに記憶されている管理用ユーザＩＤを特定することにより、ユーザＵを特定する。
【００５１】
第１特定部４３３は、ユーザＵを特定すると、特定対象である複数の会員基盤システム３の中から、サービス情報取得部４３１が取得した会員基盤ＩＤが示す会員基盤システム３の他に当該ユーザＵが登録されている会員基盤システム３を特定する。特定対象である複数の会員基盤システム３は、情報処理サービスに加入しているシステム事業者が管理する会員基盤システム３である。第１特定部４３３は、例えば、ユーザ管理データベースにおいて、サービス情報取得部４３１が取得した会員基盤ＩＤが示す会員基盤システム３の他に、特定した管理用ユーザＩＤが示すユーザＵが登録されていることを示す会員基盤システム３を特定する。
【００５２】
そして、第１特定部４３３は、ユーザＵが登録されている会員基盤システム３を特定すると、特定した会員基盤システム３の中から、サービス情報取得部４３１が取得したサービス情報が示すサービスを利用可能な会員基盤システム３を特定する。第１特定部４３３は、例えば、システム管理データベースにおいて、特定した会員基盤システム３のうち、サービス情報取得部４３１が取得したサービス情報が示すサービスが利用可能であることを示す会員基盤システム３を特定する。
【００５３】
第１特定部４３３は、特定対象である複数の会員基盤システム３の中から会員基盤サイト又は情報提供サイトにおいてユーザＵが選択したサービスを利用可能な会員基盤システム３を特定した後に、ユーザＵが登録されている会員基盤システム３を特定してもよい。
【００５４】
第２特定部４３４は、サービス情報取得部４３１が取得した会員基盤ＩＤが示す会員基盤システム３と、第１特定部４３３が特定した会員基盤システム３とを含む複数の会員基盤システム３（以下、複数のサービス利用可能システムという）のうち、ユーザＵが指定した利用条件を満たす会員基盤システム３を特定する。第２特定部４３４は、例えば、複数のサービス利用可能システムそれぞれにユーザＵが指定した利用条件を満たすサービスが利用可能であるか否かを問い合わせた結果に基づいて、ユーザＵが指定した利用条件を満たす会員基盤システム３を特定する。
【００５５】
具体的には、第２特定部４３４は、まず、ユーザＵが指定した利用条件を示す条件情報を、複数のサービス利用可能システムそれぞれに送信する。複数のサービス利用可能システムそれぞれは、情報処理装置４から取得した条件情報が示す利用条件を満たすサービスを検索し、検索結果を示す結果情報を情報処理装置４に送信する。そして、第２特定部４３４は、複数のサービス利用可能システムのうち、ユーザＵが指定した利用条件を満たすサービスが利用可能であることを示す結果情報を送信した会員基盤システム３を、ユーザＵが指定した利用条件を満たす会員基盤システム３として特定する。
【００５６】
第２特定部４３４は、例えば、ユーザＵが指定した利用条件を満たすサービスが利用可能であるか否かを、複数のサービス利用可能システムそれぞれにおいて利用可能なサービスを提供する複数のサービス提供サーバ２それぞれに問い合わせてもよい。
【００５７】
第２特定部４３４は、ユーザＵが指定した利用条件を満たす会員基盤システム３を特定した後に、特定した会員基盤システム３において利用可能なサービスに関する情報を、特定した会員基盤システム３から取得してもよい。サービスに関する情報は、例えば、利用可能な場所、利用可能な期間、利用料金、利用可能な数量又は評価等である。
【００５８】
具体的には、サービス情報取得部４３１が優先情報を取得した場合、第２特定部４３４は、優先情報が示す優先させる利用条件に対応するサービスに関する情報を、特定した会員基盤システム３から取得してもよい。例えば、優先項目が利用料金を優先させることを示す場合、第２特定部４３４は、サービスの利用料金をサービスに関する情報として、特定した会員基盤システム３から取得してもよい。
【００５９】
特定部４３２は、第２特定部４３４において特定対象である複数の会員基盤システム３の中からユーザＵが指定した利用条件を満たす会員基盤システム３を特定し、第２特定部４３４が特定した会員基盤システム３の中から第１特定部４３３においてユーザＵがサービスを利用可能な会員基盤システム３を特定してもよい。
【００６０】
生成部４３５は、ユーザＵが指定した利用条件を満たす会員基盤システム３を介して利用可能なサービスの利用場所を表示したマップを生成する。具体的には、生成部４３５は、第２特定部４３４が特定した会員基盤システム３を介して利用可能なサービスの利用場所を表示したマップを生成する。
【００６１】
通知部４３６は、サービス情報取得部４３１が取得した会員基盤ＩＤが示す会員基盤システム３と第１特定部４３３が特定した会員基盤システム３とを含む複数の会員基盤システム３のうち、ユーザＵが指定した利用条件を満たす会員基盤システム３を示す情報を、ユーザＵが使用する通信端末１に通知する。具体的には、通知部４３６は、複数の会員基盤システム３のうち、サービス情報取得部４３１が取得した利用条件を満たす会員基盤システム３を示す情報を通信端末１に通知する。
【００６２】
より具体的には、通知部４３６は、特定部４３２が特定した会員基盤システム３を示す情報を通信端末１に通知する。通信端末１は、例えば、情報処理装置４から通知された会員基盤システム３を示す情報を表示した情報提供サイトの表示画面を表示する。通信端末１が表示する表示画面の詳細については後述する。通知部４３６は、生成部４３５が生成したマップを、ユーザＵが指定した利用条件を満たす会員基盤システム３を示す情報として通信端末１に通知してもよい。
【００６３】
選択情報取得部４３７は、ユーザＵが指定した利用条件を満たす会員基盤システム３からユーザＵが選択した一の会員基盤システム３を示す情報を取得する。選択情報取得部４３７は、例えば、ユーザＵが指定した利用条件を満たす会員基盤システム３を示す情報を表示した情報提供サイトの表示画面においてユーザＵが選択した一の会員基盤システム３を示す情報を取得する。
【００６４】
通知部４３６は、選択情報取得部４３７がユーザＵが選択した一の会員基盤システム３を示す情報を取得すると、ユーザＵが選択した一の会員基盤システム３を介してサービス提供サイトの予約ページにアクセスするためのアドレス情報を通信端末１に通知する。予約ページは、サービス提供サーバ２が提供するサービス提供サイトにおいてサービスの予約を受け付けるウェブページである。このようにすることで、通知部４３６は、ユーザＵにサービスを利用させることができる。
【００６５】
通知部４３６は、ユーザＵが会員基盤サイト又は情報提供サイトにおいて選択したサービスを利用可能な会員基盤システム３を示す情報を通信端末１に通知してもよい。具体的には、通知部４３６は、複数のサービス利用可能システム（サービス情報取得部４３１が取得した会員基盤ＩＤが示す会員基盤システム３と、第１特定部４３３が特定した会員基盤システム３とを含む複数の会員基盤システム３）を示す情報を通信端末１に通知してもよい。通知部４３６は、例えば、複数のサービス利用可能システムのうちから、ユーザＵが会員基盤サイト又は情報提供サイトにおいて選択したサービスを利用可能な会員基盤システム３を選択可能な情報提供サイトの表示画面を通信端末１に表示させる。このようにすることで、ユーザＵは、会員基盤サイト又は情報提供サイトにおいて選択したサービスを利用可能な会員基盤システム３のうちから任意の会員基盤システム３を選択することができる。
【００６６】
その後、ユーザＵが会員基盤システム３を選択すると、第２特定部４３４は、ユーザＵが選択した会員基盤システム３のうち、ユーザＵが指定した利用条件を満たす会員基盤システム３を特定する。そして、通知部４３６は、第２特定部４３４が特定した会員基盤システム３を示す情報を通信端末１に通知する。
【００６７】
また、通知部４３６は、ユーザＵがサービスを利用可能な会員基盤システム３が特定される前に、第２特定部４３４が特定対象である複数の会員基盤システム３の中から特定した会員基盤システム３であって、ユーザＵが指定した利用条件を満たす会員基盤システム３を通信端末１に通知してもよい。通知部４３６は、例えば、第２特定部４３４が特定した会員基盤システム３のうちから任意の会員基盤システム３を選択可能な情報提供サイトの表示画面を通信端末１に表示させる。ユーザＵが会員基盤システム３を選択すると、第１特定部４３３は、ユーザＵが選択した会員基盤システム３の中からユーザＵがサービスを利用可能な会員基盤システム３を特定する。そして、通知部４３６は、第１特定部４３３が特定した会員基盤システム３を示す情報を通信端末１に通知する。
【００６８】
通知部４３６は、第１特定部４３３がサービスを利用可能な会員基盤システム３を特定できなかった場合、すなわち、ユーザＵが選択した会員基盤システム３にユーザＵが登録されていなかった場合、当該会員基盤システム３にユーザＵを登録させるための情報を通信端末１に通知してもよい。会員基盤システム３にユーザＵを登録させるための情報は、例えば、会員基盤サイトの会員登録ページにアクセスするためのアドレス情報である。また、通知部４３６は、会員基盤システム３にユーザＵを登録させるための情報として、会員登録するための条件の有無に基づいて分類した会員基盤サイトの一覧表を示す情報を通信端末１に通知してもよい。
【００６９】
通知部４３６は、ユーザＵがサービスを予約した後に、当該サービスの利用場所及び利用期間に対応する他のサービスを利用可能な会員基盤システム３を示す情報を通知してもよい。例えば、記憶部４２には、ユーザＵが予約したサービスの種類を示す第１サービス（例えば、ロッカーサービス）と、ユーザＵが第１サービスを予約した場合に利用し得る他のサービスの種類を示す第２サービス（例えば、飲食店の予約を受け付けるサービス）とを関連付けて記憶する関連サービスデータベースが記憶されているとする。
【００７０】
この場合において、ユーザＵがサービス提供サイトの予約ページにおいて第１サービスを利用するための手続きを行うと、特定部４３２は、ユーザＵが第１サービスにおいて指定した利用条件の少なくとも一部を満たす、第１サービスに関連付けて関連サービスデータベースに記憶されている第２サービスを利用可能な会員基盤システム３を特定する。特定部４３２は、例えば、ユーザＵが第１サービスにおいて指定した複数の利用条件のうち、利用場所及び利用期間を満たす第２サービスを利用可能な会員基盤システム３を特定する。そして、通知部４３６は、特定部４３２が特定した、第２サービスを利用可能な会員基盤システム３を示す情報を通信端末１に通知する。通知部４３６は、第２サービスを利用可能な会員基盤システム３を示す情報とともに、第２サービスにおいて利用可能な特典を示す情報を通知してもよい。このようにすることで、情報処理装置４は、会員基盤システム３を介して利用可能なサービスの利用を促進させることができる。
【００７１】
［表示画面］
続いて、通信端末１に表示される表示画面について説明する。図７、図８及び図９は、通信端末１に表示される表示画面の一例を示す図である。ユーザＵが、通信端末１を用いて、登録されているＡ社の会員基盤システム３ａにアクセスすると、通信端末１は、図７（ａ）に示すようなＡ会員基盤サイトの表示画面を表示する。図７（ａ）に示すＡ会員基盤サイトの表示画面には、会員基盤システム３ａにおいて利用可能なサービスの一覧を表示した画面が表示されている。図７（ａ）に示すＡ会員基盤サイトの表示画面は、ユーザＵが会員基盤システム３ａに対応する基盤用ユーザＩＤでログインした状態である。
【００７２】
例えば、ユーザＵが、図７（ａ）に示すＡ会員基盤サイトの表示画面において「ロッカー予約」ボタンを押下する操作を行うと、通信端末１は、図７（ｂ）に示すようなＡ会員基盤サイトの表示画面を表示する。図７（ｂ）に示すＡ会員基盤サイトの表示画面には、サービスの利用条件を入力する画面が表示されている。
【００７３】
ユーザＵが、図７（ｂ）に示すＡ会員基盤サイトの表示画面においてサービスの利用条件を入力し、「検索」ボタンを押下する操作を行うと、通信端末１は、Ａ会員基盤サイトから情報提供サイトに遷移し、図７（ｃ）に示すような情報提供サイトの表示画面を表示する。図７（ｃ）に示す情報提供サイトの表示画面には、情報処理装置４の通知部４３６が通知した、ユーザＵが指定した利用条件を満たす会員基盤システム３を示す情報として、Ｚ会員基盤サイトでロッカーを予約することを勧めるメッセージが表示されている。
【００７４】
例えば、ユーザＵが、図７（ｃ）に示す情報提供サイトの表示画面において「Ｚ会員基盤サイトから予約する」ボタンを押下すると、情報処理装置４の通知部４３６は、会員基盤システム３ｚを介してサービス提供サイトの予約ページにアクセスするためのアドレス情報を通信端末１に通知する。ユーザＵは、通信端末１を用いて、通知されたアドレス情報が示す予約ページに会員基盤システム３を介してアクセスし、アクセスした予約ページにおいてサービスを利用する手続きを行う。このようにすることで、ユーザＵは、利用条件を満たすサービスを探す手間を省くことができる。
【００７５】
通知部４３６は、様々な情報を通信端末１に通知してもよい。例えば、通知部４３６は、特定部４３２が複数の会員基盤システム３を特定した場合、ユーザＵが複数の会員基盤システム３のうちから一の会員基盤システム３を選択できるようにするための情報を通知してもよい。具体的には、特定部４３２が複数の会員基盤システム３を特定した場合、通知部４３６は、ユーザＵが指定した利用条件を満たす複数の会員基盤システム３それぞれにおいて利用可能なサービスの内容を通信端末１に通知してもよい。
【００７６】
より具体的には、第２特定部４３４が、特定した会員基盤システム３において利用可能なサービスに関する情報を、特定した複数の会員基盤システム３それぞれから取得した場合に、通知部４３６は、第２特定部４３４が取得したサービスに関する情報をサービスの内容として通信端末１に通知してもよい。図８（ａ）に示す情報提供サイトの表示画面には、ユーザＵが指定した利用条件を満たす複数の会員基盤システム３それぞれにおいて利用可能なサービスの内容として、会員基盤システム３ごとに、東京駅周辺において利用可能なロッカーの数が表示されている。このようにすることで、ユーザＵは、利用条件を満たす複数の会員基盤システム３のうちから条件が良い会員基盤システム３を選ぶことができる。
【００７７】
その後、ユーザＵが図８（ａ）に示す情報提供サイトの表示画面においてユーザＵが選択した会員基盤システム３ｚに対応する「予約する」ボタンを押下すると、通知部４３６は、ユーザＵが選択した会員基盤システム３ｚを介してサービス提供サイトの予約ページにアクセスするためのアドレス情報を通信端末１に通知し、サービス提供サイトの予約ページを通信端末１に表示させる。ユーザＵは、通信端末１を用いて、通知されたアドレス情報に基づいて、会員基盤システム３ｚを介してサービス提供サイトの予約ページにアクセスすることにより、予約ページにおいてサービスを利用する手続きを行うことができる。
【００７８】
ところで、ユーザＵが登録されていない会員基盤システム３が、ユーザＵが指定した利用条件を満たす場合がある。この場合、ユーザＵは、利用条件を満たす会員基盤システム３を介してサービスを利用するために、登録されていない会員基盤システム３が管理する会員基盤サイトにおいて会員登録することが考えられる。そこで、通知部４３６は、ユーザＵがサービスを利用できない会員基盤システム３をさらに含む複数の会員基盤システム３のうち、ユーザＵが指定した利用条件を満たす会員基盤システム３を示す情報を通信端末１に通知してもよい。この場合、第１特定部４３３は、ユーザＵが登録されていない会員基盤システム３を含む他の会員基盤システム３を特定する。
【００７９】
図８（ｂ）に示す情報提供サイトの表示画面には、ユーザＵが登録されていない会員基盤システム３ｂ（Ｂ会員基盤サイト）を含む、ユーザＵが指定した利用条件を満たす複数の会員基盤システム３を示す情報が表示されている。図８（ｂ）に示す例において、ユーザＵがＢ会員基盤サイトに対応する会員登録ボタンを押下する操作を行うと、通知部４３６は、Ｂ会員基盤サイトの会員登録を行うための会員登録ページにアクセスするためのアドレス情報を通信端末１に通知し、Ｂ会員基盤サイトの会員登録ページを通信端末１に表示させる。
【００８０】
ユーザＵは、通信端末１を用いて、通知されたアドレス情報に基づいてＢ会員基盤サイトの会員登録ページにアクセスし、会員登録ページにおいて会員登録の手続きを行う。その後、ユーザＵは、通信端末１を用いて、会員基盤システム３ｚを介してサービス提供サイトの予約ページにアクセスし、アクセスした予約ページにおいてサービスを予約する手続きを行う。このようにすることで、ユーザＵは、利用条件を満たす会員基盤システム３を探す手間を省くことができる。
【００８１】
通知部４３６は、生成部４３５が生成したマップを、ユーザＵが指定した利用条件を満たす会員基盤システム３を示す情報として通信端末１に通知してもよい。図９（ａ）に示す情報提供サイトの表示画面には、「地図で確認する」ボタンが表示されており、ユーザＵが当該ボタンを押下する操作を行うと、通信端末１は、図９（ｂ）に示すような情報提供サイトの表示画面を表示する。図９（ｂ）に示す情報提供サイトの表示画面には、情報処理装置４の生成部４３５が生成したマップが表示されている。図９（ｂ）に示す丸印のオブジェクトは、サービスの利用場所を示す。
【００８２】
また、図９（ｂ）に示す情報提供サイトの表示画面には、ユーザＵが指定した利用条件を満たす会員基盤サイトごとに色分けしたマップが表示されている。このように、生成部４３５は、会員基盤システム３ごとに色分けしたマップを生成してもよい。具体的には、生成部４３５は、サービスの利用場所を、会員基盤システム３ごとに異なる態様で表示したマップを生成してもよい。このようにすることで、ユーザＵは、会員基盤システム３それぞれにおいて利用可能なサービスの内容を把握することができる。
【００８３】
また、図９（ｂ）に示すように、ユーザＵがマップに表示された任意の丸印のオブジェクトをタッチする操作を行うと、通信端末１は、当該丸印のオブジェクトが示すサービスの利用場所における利用料金と、当該利用場所にて予約を行う「予約」ボタンとを表示する。このように、生成部４３５は、サービスの利用場所ごとに、当該利用場所におけるサービスの内容を表示したマップを生成してもよい。このようにすることで、ユーザＵは、利用条件を満たす会員基盤システム３において利用可能なサービスの利用場所が複数ある場合であっても、条件が良いサービスの利用場所を容易に探すことができる。
【００８４】
また、図９（ｂ）に示す情報提供サイトの表示画面には、東京駅周辺の相場が表示されている。このように、生成部４３５は、複数の会員基盤システム３それぞれにおいて利用可能なサービスに基づく情報を表示したマップを生成してもよい。この場合、第２特定部４３４が、特定した会員基盤システム３から取得したサービスに関する情報（利用料金）に基づいて、サービスに基づく情報（東京駅周辺の相場）を特定してもよい。
【００８５】
また、通知部４３６は、ユーザＵが指定した利用条件を満たす会員基盤システム３のうちからユーザＵが選択した会員基盤システム３において利用可能なサービスの利用場所を表示したマップを通信端末１に表示させてもよい。図９（ｃ）に示す情報提供サイトの表示画面には、ユーザＵが指定した利用条件を満たす会員基盤サイトごとにチェックボックスが設けられている。例えば、ユーザＵが「選択したサイトで利用可能なロッカーを地図で確認する」ボタンを押下する操作を行うと、チェックされたチェックボックスに対応するＢ会員基盤サイトにおいて利用可能なサービスの利用場所を表示したマップが表示される。このように、生成部４３５は、ユーザＵが選択した会員基盤システム３において利用可能なサービスの利用場所を表示したマップを生成してもよい。生成部４３５は、例えば、ユーザＵが指定した利用条件を満たす会員基盤システム３ごとに、当該会員基盤システム３において利用可能なサービスの利用場所を表示したレイヤーを生成し、生成したレイヤーを地形図の上に重ねて表示したマップを生成する。
【００８６】
［本実施の形態における情報処理システムＳの処理の流れ］
続いて、情報処理システムＳ１の処理の流れについて説明する。図１０は、本実施の形態における情報処理システムＳ１の処理の流れを示すシーケンス図である。本処理は、ユーザＵが、通信端末１を用いて、会員登録している複数の会員基盤サイトのうちのいずれかにアクセスし、当該会員基盤サイトにおいて利用可能なサービスを選択する操作を行ったことを契機として開始する（Ｓ１）。
【００８７】
通信端末１は、ユーザＵが選択したサービスを示すサービス情報を、会員基盤サイトを管理する会員基盤システム３に送信する（Ｓ２）。会員基盤システム３は、通信端末１が送信したサービス情報を取得すると、当該サービス情報と、当該会員基盤システム３に対応する会員基盤ＩＤと、当該会員基盤システム３に登録されている基盤用ユーザＩＤとを情報処理装置４に送信する（Ｓ３）。
【００８８】
情報処理装置４のサービス情報取得部４３１は、会員基盤システム３が送信したサービス情報と会員基盤ＩＤと基盤用ユーザＩＤとを取得する。第１特定部４３３は、サービス情報取得部４３１が取得した会員基盤ＩＤと基盤用ユーザＩＤとに基づいて、ユーザＵを特定する（Ｓ４）。具体的には、第１特定部４３３は、サービス情報取得部４３１が取得した会員基盤ＩＤと基盤用ユーザＩＤとに関連付けてユーザ管理データベースに記憶されている管理用ユーザＩＤを特定する。
【００８９】
第１特定部４３３は、ユーザＵを特定すると、ユーザＵが登録されている会員基盤システム３を特定する（Ｓ５）。具体的には、第１特定部４３３は、ユーザ管理データベースにおいて、サービス情報取得部４３１が取得した会員基盤ＩＤが示す会員基盤システム３の他に、Ｓ４において特定した管理用ユーザＩＤが示すユーザＵが登録されていることを示す会員基盤システム３を特定する。
【００９０】
第１特定部４３３は、ユーザＵが登録されている会員基盤システム３を特定すると、ユーザＵがサービスを利用可能な会員基盤システム３を特定する（Ｓ６）。具体的には、第１特定部４３３は、システム管理データベースにおいて、Ｓ５において特定した会員基盤システム３のうち、サービス情報取得部４３１が取得したサービス情報が示すサービスが利用可能であることを示す会員基盤システム３を特定する。
【００９１】
第２特定部４３４は、ユーザＵが指定した利用条件を示す条件情報を、複数のサービス利用可能システム（サービス情報取得部４３１が取得した会員基盤ＩＤが示す会員基盤システム３及びＳ６において第１特定部４３３が特定した会員基盤システム３）それぞれに送信する（Ｓ７）。複数のサービス利用可能システムそれぞれは、情報処理装置４から取得した条件情報が示す利用条件を満たすサービスを検索し、検索結果を示す結果情報を情報処理装置４に送信する（Ｓ８、Ｓ９）。
【００９２】
第２特定部４３４は、複数のサービス利用可能システムのうち、ユーザＵが指定した利用条件を満たすサービスが利用可能であることを示す検索結果を送信した会員基盤システム３を、ユーザＵが指定した利用条件を満たす会員基盤システム３として特定する（Ｓ１０）。そして、通知部４３６は、第２特定部４３４が特定した会員基盤システム３を示す情報を通信端末１に通知する（Ｓ１１）。
【００９３】
［本実施の形態における効果］
以上説明したとおり、情報処理システムＳ１は、取得した会員基盤ＩＤと基盤用ユーザＩＤとに基づいて、特定対象である複数の会員基盤システム３の中から、ユーザＵが登録されている他の会員基盤システム３を特定し、かつユーザＵがサービスを利用可能な会員基盤システム３を特定する。そして、情報処理システムＳ１は、取得した会員基盤ＩＤが示す会員基盤システム３と特定した会員基盤システム３とを含む複数の会員基盤システム３のうち、ユーザＵが指定した利用条件を満たす会員基盤システム３を示す情報を、ユーザＵが使用する通信端末１に通知する。このようにすることで、情報処理システムＳ１は、ユーザＵの利用条件を満たすサービスを利用可能な会員基盤システム３を示す情報をユーザＵに提供することができる。これにより、ユーザＵは、自身の利用条件を満たすサービスを利用可能な会員基盤システム３を探す手間を省くことができる。
【００９４】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００９５】
１  通信端末
２  サービス提供サーバ
３  会員基盤システム
４  情報処理装置
４１  通信部
４２  記憶部
４３  制御部
４３１  サービス情報取得部
４３２  特定部
４３３  第１特定部
４３４  第２特定部
４３５  生成部
４３６  通知部
４３７  選択情報取得部
Ｓ  情報処理システム
【図１】
2020091726.tif 000003
【図２】
2020091726.tif 000004
【図３】
2020091726.tif 000005
【図４】
2020091726.tif 000006
【図５】
2020091726.tif 000007
【図６】
2020091726.tif 000008
【図７】
2020091726.tif 000009
【図８】
2020091726.tif 000010
【図９】
2020091726.tif 000011
【図１０】
2020091726.tif 000012